(57)【要約】【課題】洗浄運転完了後に洗剤を収容するトレイ本体部内に洗浄水が残らない貯蔵庫を提供する。【解決手段】貯蔵庫１０は、箱状の貯蔵庫本体１２と、貯蔵庫本体１２の内部に設けられ、洗剤を収容する洗剤トレイ８０と、洗剤トレイ８０に向けて洗浄水を噴射する第１噴射部（噴射部）３０と、を備え、洗剤トレイ８０は、洗剤を外部から取り入れ可能な開口部８６を有するトレイ本体部８２と、トレイ本体部８２を回転させる回転軸部９８と、トレイ本体部８２の開口部８６が上側に位置する上側開口状態を保持しつつ、回転軸部９８の一方の周方向への回転を停止させる回転ストッパー（突出片１００）と、を備え、トレイ本体部８２が上側開口状態にある場合に、第１噴射部（噴射部）３０から噴射された洗浄水が洗剤トレイ８０に当たることで、トレイ本体部８２が一方の周方向と反対の他方の周方向へ回転し、トレイ本体部８２の開口部８６から、トレイ本体部８２内の洗剤が外部に流出する構成となっている。【選択図】図５
2019128051.tif 000002
【特許請求の範囲】
【請求項１】
箱状の貯蔵庫本体と、
前記貯蔵庫本体の内部に設けられ、洗剤を収容する洗剤トレイと、
前記洗剤トレイに向けて洗浄水を噴射する噴射部と、を備え、
前記洗剤トレイは、
洗剤を外部から取り入れ可能な開口部を有するトレイ本体部と、
前記トレイ本体部を回転させる回転軸部と、
前記トレイ本体部の前記開口部が上側に位置する上側開口状態を保持しつつ、前記回転軸部の一方の周方向への回転を停止させる回転ストッパーと、を備え、
前記トレイ本体部が前記上側開口状態にある場合に、前記噴射部から噴射された洗浄水が前記洗剤トレイに当たることで、前記トレイ本体部が前記一方の周方向と反対の他方の周方向へ回転し、前記トレイ本体部の前記開口部から、前記トレイ本体部内の洗剤が外部に流出する貯蔵庫。
【請求項２】
前記トレイ本体部の周壁のうち、前記噴射部と対向する周壁は、他の周壁よりも上方に突出し、前記噴射部から噴射された洗浄水が当たる当たり面を有している請求項１に記載の貯蔵庫。
【請求項３】
前記トレイ本体部は、前記当たり面から前記噴射部に向かって突出し、前記回転ストッパーとして機能する突出片を備え、
前記貯蔵庫本体の内部には、前記トレイ本体部が前記上側開口状態にある場合において、前記突出片と当接して、前記トレイ本体部の前記一方の周方向への回転を停止させる回転停止壁が設けられている請求項２に記載の貯蔵庫。
【請求項４】
前記トレイ本体部の前記周壁の側方には、前記周壁の幅よりも大きい幅の側方壁が設けられている請求項１から請求項３のいずれか一項に記載の貯蔵庫。
【発明の詳細な説明】
【技術分野】
【０００１】
本発明は、貯蔵庫に関する。
【背景技術】
【０００２】
特許文献１には、加工室内に洗浄構造を備える食品加工装置が記載されている。洗浄構造は、加工室内の内部に洗浄水を噴射する洗浄水噴射部を備え、加工室の内部には、洗剤を収容する洗剤投入トレイが設けられている。洗剤投入トレイは、洗浄水噴射部から噴射された洗浄水が、洗剤投入トレイの投入開口を介してトレイ内部に流入できる位置に配置されている。トレイ内部に洗浄水が流入すると、トレイ内部の洗剤が洗浄水と共にオーバーフローし、洗剤が混入した洗浄水が加工室内に流れることで、加工室内を洗浄する。
【先行技術文献】
【特許文献】
【０００３】
【特許文献１】特開２０１７−１５０７８２号公報
【発明の概要】
【発明が解決しようとする課題】
【０００４】
上記構成において、洗浄運転完了後にもトレイ内部に洗浄水が残るため、洗浄運転完了後にユーザが拭き取る必要があるという問題がある。
本発明は、上記事情に鑑みてなされたもので、洗浄運転完了後に洗剤を収容するトレイ内部に洗浄水が残らないようにすることが可能な貯蔵庫の提供を目的の一つとしている。
【課題を解決するための手段】
【０００５】
上記課題を解決するために、本発明の貯蔵庫は、箱状の貯蔵庫本体と、前記貯蔵庫本体の内部に設けられ、洗剤を収容する洗剤トレイと、前記洗剤トレイに向けて洗浄水を噴射する噴射部と、を備え、前記洗剤トレイは、洗剤を外部から取り入れ可能な開口部を有するトレイ本体部と、前記トレイ本体部を回転させる回転軸部と、前記トレイ本体部の前記開口部が上側に位置する上側開口状態を保持しつつ、前記回転軸部の一方の周方向への回転を停止させる回転ストッパーと、を備え、前記トレイ本体部が前記上側開口状態にある場合に、前記噴射部から噴射された洗浄水が前記洗剤トレイに当たることで、前記トレイ本体部が前記一方の周方向と反対の他方の周方向へ回転し、前記トレイ本体部の前記開口部から、前記トレイ本体部内の洗剤が外部に流出する構成となっている。
【０００６】
上側開口状態にあるトレイ本体部を、噴射部の洗浄水の噴射力を利用して回転させることで、開口部の位置が少なくとも上側から側方へ傾き、洗剤をトレイ本体部内から流出させることができる。これにより、トレイ本体部の外部で洗剤と洗浄水が混入されるため、洗浄運転後にトレイ本体部内に洗浄水が残ることを防ぐことができる。
【０００７】
また、前記トレイ本体部の周壁のうち、前記噴射部と対向する周壁は、他の周壁よりも上方に突出し、前記噴射部から噴射された洗浄水が当たる当たり面を有している構成としても良い。
【０００８】
噴射部から噴射される洗浄水が当たり面に当たることで、当たり面が壁となり、トレイ本体部内に洗浄水が入ることを防ぐことができる。また、噴射部からの洗浄水を確実にトレイ本体部に当てることができ、該トレイ本体部を確実に回転させることが可能となる。
【０００９】
また、前記トレイ本体部は、前記当たり面から前記噴射部に向かって突出し、前記回転ストッパーとして機能する突出片を備え、前記貯蔵庫本体の内部には、前記トレイ本体部が前記上側開口状態にある場合において、前記突出片と当接して、前記トレイ本体部の前記一方の周方向への回転を停止させる回転停止壁が設けられている構成としても良い。
【００１０】
トレイ本体部が上側開口状態にある場合において、トレイ本体部の重心は、当たり面のある方に偏るため、トレイ本体部は、当たり面のある方向（一方の周方向）に回転しようとする。そこで、回転ストッパーとして機能する突出片を、当たり面から噴射部に向かって突出して設け、さらに、貯蔵庫本体の内部に、突出片と当たる回転停止壁を設けることで、トレイ本体部を、回転が停止した状態で保持させることができる。
【００１１】
また、前記トレイ本体部の前記周壁の側方には、前記周壁の幅よりも大きい幅の側方壁が設けられている構成としても良い。。
（効果）このように構成することで、例えば、ユーザが洗剤ボトルからトレイ本体部に洗剤を入れる際、洗剤ボトルをトレイ本体部に近づけると、洗剤ボトルが側方壁に当たるため、誤って洗剤ボトルがトレイ本体部に当たって回転し、トレイ本体部から洗剤がこぼれることを防ぐことができる。
【発明の効果】
【００１２】
本発明によれば、洗浄運転完了後に洗剤を収容するトレイ本体部内に洗浄水が残らない貯蔵庫を提供することができる。
【図面の簡単な説明】
【００１３】
【図１】貯蔵庫の正面図
【図２】貯蔵庫の平面図
【図３】タンク及びポンプの位置を示す貯蔵庫の正面図
【図４】貯蔵庫の側断面図
【図５】側面視からの第１噴射部及び洗剤トレイの位置を示す貯蔵庫の図
【図６】貯蔵庫の斜視図
【図７】図５における回転後の洗剤トレイの拡大図
【図８】図６における回転後の洗剤トレイ拡大の図
【図９】洗剤ボトルから洗剤トレイに洗剤を混入中の図
【図１０】洗剤トレイの前方斜視図
【図１１】洗剤トレイの斜視図
【図１２】第２噴射部の分解斜視図
【図１３】第２噴射部の正面図
【図１４】正面視からの第２噴射部の断面図
【図１５】図１４におけるフランジ部付近の拡大図
【発明を実施するための形態】
【００１４】
本実施形態の貯蔵庫１０について、図１から図１５を参照しつつ説明する。以降の説明では、図２のＸ方向を前方、図１のＺ方向を上方、図１のＹ方向を右方とする。
貯蔵庫１０は、加熱調理後の高温の食品を短時間で冷却する急速冷却庫（所謂、ブラストチラー）であって、庫内を洗浄水により洗浄する洗浄機能を有している。貯蔵庫１０は、図３に示すように、前面が開口する箱状の貯蔵庫本体１２と、貯蔵庫本体１２の下方に設けられ、洗浄水を貯水可能なタンク１１４と、タンク１１４の下方に設けられた機械室１２０と、を備えている。また、貯蔵庫本体１２には、図４に示すように、扉１３が開閉可能に取り付けられている。
【００１５】
貯蔵庫本体１２の内部の左側壁付近には、図１に示すように、両側面が開口した箱状の冷却器ケース１６が設けられている。冷却器ケース１６の内部には、内気を冷却する冷却器１８、及び、冷却器１８の右側に配されており、冷却器１８により冷却された冷気を庫内に循環させる２つのファン２０が設けられている。冷却器１８は、所謂エバポレータであって、機械室１２０内に設けられた圧縮機及び凝縮器により圧縮及び凝縮された冷媒を蒸発させることで、周囲の熱を奪い、貯蔵庫本体１２の内気を冷却している。冷却器ケース１６の右側の開口部には、ファン２０を覆うように、カバー２２が取り付けられており、カバー２２には、２つのファン２０の対応する位置に通風口２４が開口して設けられている。
【００１６】
冷却器１８とファン２０との間には、図５に示すように、第１噴射部（噴射部）３０が設けられている。第１噴射部３０は、細長い管を折り曲げた形状をなす第１噴射部本体３２と、第１噴射部本体３２から冷却器１８に向けて突出し、冷却器１８に指向して洗浄水を噴射可能な４つの第１ノズル３４と、第１噴射部３０の前面側に複数開口して設けられ、カバー２２の裏面及びファン２０に指向して洗浄水を噴射可能な第２ノズル３６と、第１噴射部本体３２の先端から前方に突出して設けられ、後述する洗剤トレイ８０に指向して洗浄水を噴射可能な第３ノズル３８と、を備えている。
【００１７】
カバー２２の前面には、図８に示すように、円形状の円孔２６が開口しており、また、図６に示すように、円孔２６を覆うように、洗剤トレイ８０が取り付けられている。円孔２６は、第３ノズル３８の前方に配されており、第３ノズル３８から噴射された洗浄水は、円孔２６を通過して洗剤トレイ８０に当たるようになっている。
【００１８】
洗剤トレイ８０は、図１０、図１１に示すように、箱状をなし、上方が開口するトレイ本体部８２と、トレイ本体部８２の下面に設けられ、トレイ本体部８２の両側方に突出する棒状の回転軸部９８と、トレイ本体部８２の周壁８８を囲うように設けられた側方壁１０２と、を備えている。
【００１９】
トレイ本体部８２の後側の周壁８８Ｂは、図１０に示すように、前側の周壁８８Ａ、左右一対の周壁８８Ｃよりも上方に突出して設けられており、後側の周壁８８Ｂの後面が、第３ノズル３８から噴射された洗浄水が当たる当たり面９６となっている。当たり面９６には、上端からカバー２２の前面側（第３ノズル３８側）に向かって突出する突出片１００が設けられている。
【００２０】
側方壁１０２は、図１０、図１１に示すように、前側の周壁８８Ａの前方に配された前側の側方壁１０２Ａ、後側の周壁８８Ｂの後方に配された後側の側方壁１０２Ｂ、及び、左右一対の周壁８８Ｃの左方及び右方にそれぞれ配された左右一対の側方壁１０２Ｃとから構成されており、各側方壁１０２は、各周壁８８の幅方向の長さよりも長くなっている。また、前側の側方壁１０２Ａ、及び、左右一対の側方壁１０２Ｃの上端は、前側の周壁８８Ａ、及び、左右一対の周壁８８Ｃの上端よりも上方に位置している。
【００２１】
左右一対の側方壁１０２Ｃには、図１０、図１１に示すように、回転軸部９８が挿通される挿通孔１１０がそれぞれ設けられており、トレイ本体部８２は、左右一対の側方壁１０２Ｃに回転可能に取り付けられている。
【００２２】
図１０、図１１に示すように、後側の側方壁１０２Ｂの上端から上方に、回転停止壁１１２が突出して設けられている。トレイ本体部８２の開口部８６が上側に位置する上側開口状態となるまでトレイ本体部８２を回転させると、図６に示すように、トレイ本体部８２の突出片１００が回転停止壁１１２に当接する。このように、突出片１００は、トレイ本体部８２の回転を停止させる回転ストッパーとして機能している。また、上側開口状態におけるトレイ本体部８２の重心位置は、回転軸部９８の後方側（即ち当たり面９６側）にあり、トレイ本体部８２は、上側開口状態で保持される。
【００２３】
貯蔵庫本体１２の天井壁１４には、図４に示すように、下方に突出し、内部に洗浄水を通水可能な金属製の突起部４０が接続されており、後述するポンプ１２２より、突起部４０内に洗浄水が供給される。突起部４０は、図１２に示すように、上下方向に延びる円筒状の突起部本体４２と、突起部本体４２に周設されているフランジ部４４と、突起部本体４２の下端から下方に突出し、突起部本体４２と内部空間が連通する円筒状の軸受け挿通部４８と、を備えている。突起部本体４２のフランジ部４４の下方には、洗浄水が放出される第１噴出孔４６が開口して設けられている。また、軸受け挿通部４８には、洗浄水が放出される第２噴出孔５０が開口して設けられている。突起部４０には、第２噴射部５６、軸受け部７０、及び、軸受け保持部７８が取り付けられている。
【００２４】
第２噴射部５６は、回転しながら洗浄水を噴射可能な金属製の回転パドルであって、図１２に示すように、円筒状の第２噴射部本体５８と、第２噴射部本体５８から一方の方向に突出する管状の第１ノズル管６２と、一方の方向とは逆の他方の方向に突出する管状の第２ノズル管６４と、第２ノズル管６４から下方に突出する第３ノズル管６６と、を備えている。第２噴射部本体５８、第１ノズル管６２、第２ノズル管６４、及び第３ノズル管６６の内部空間は、互いに連通しており、第１ノズル管６２、第２ノズル管６４、及び第３ノズル管６６の先端には、それぞれの突出方向に洗浄水を扇状に噴射可能な第４ノズル６８が設けられている。第２ノズル管６４の先端は、図示手前側に折り曲げられた形状をなしており、第２噴射部５６は、第２ノズル管６４に設けられた第４ノズル６８からの洗浄水の噴射を推進力として、第２ノズル管６４の折り曲げ方向と逆方向に回転する。第２噴射部本体５８の下端には、溝状の凹部６０が設けられている。
【００２５】
軸受け部７０は、樹脂により形成されており、図１２に示すように、内部に筒空間Ｓを有する円筒状の筒部７２と、筒部７２の上面から上方に突出する凸部７６と、を備えている。
図１４に示すように、軸受け部７０は、突起部４０の軸受け挿通部４８に下方から挿通され、第２噴射部５６の第２噴射部本体５８は、突起部本体４２に上方挿通され、軸受け部７０の凸部７６と、第２噴射部本体５８の凹部６０とが嵌合される。また、軸受け挿通部４８には、下方から軸受け部７０に当接することで、軸受け部７０の落下を防止する軸受け保持部７８が取り付けられている。
【００２６】
図１５に示すように、第２噴射部本体５８の内周面と、突起部本体４２のフランジ部４４との間には、僅かな隙間Ｇが設けられており、隙間Ｇから、突起部本体４２の第１噴出孔４６から噴出された洗浄水が上方に噴出され、突起部４０周辺の天井壁１４の洗浄が可能となっている。
【００２７】
軸受け部７０の筒内面７４と、突起部本体４２の外周面５２とは、図１４に示すように、面で接触している。第２噴射部５６が回転すると、軸受け部７０の筒内面７４と突起部本体４２の外周面５２との接触面が、回転摺動する摺動面５４となる。このように、第２噴射部５６の回転により、樹脂製の軸受け部７０と金属製の突起部本体４２とは摺動する一方、金属製の第２噴射部本体５８と金属製の突起部本体４２とは、隙間Ｇがあることから接触していないため、摺動しない。
【００２８】
貯蔵庫本体１２の底壁２７は、図４に示すように、中央に向けて傾斜しており、底壁２７の中央には、洗浄水が通水される通水口２８が開口して設けられている。通水口２８には、ゴミを除去するドレンストレーナ２９が設けられている。通水口２８は、タンク１１４の内部と連通しており、タンク１１４には、通水口２８から流入した洗浄水が貯水される。タンク１１４には、ヒータ１１６が設けられており、タンク１１４に貯水された洗浄水は、所定温度まで加熱される。このように加熱された洗浄水で洗浄することで、庫内に付着した汚れを落とし易くしている。
【００２９】
機械室１２０には、図３に示すように、タンク１１４に貯水された洗浄水を、第１噴射部３０及び突起部４０（第２噴射部５６）に圧送するポンプ１２２が設けられている。ポンプ１２２とタンク１１４とは、第１接続管１２４を介して接続されている。
【００３０】
図４に示すように、ポンプ１２２は、貯蔵庫本体１２の天井壁１４の上面に向けて延びる第２接続管１２６の一端に接続されている。
【００３１】
第２接続管１２６の他端は、図２、図６に示すように、天井壁１４上のＴ字分岐部１３４に接続されており、さらにＴ字分岐部１３４は、図４に示すように、第１噴射部３０、及び、突起部４０に接続されている。これにより、ポンプ１２２から圧送された洗浄水は、第２接続管１２６を通って第１噴射部３０及び突起部４０に供給される。
【００３２】
図３に示すように、タンク１１４は、第３接続管１２８を介して、排水バルブ１３６に接続されている。排水バルブ１３６は、洗浄運転中は閉じており、洗浄運転完了後は開くようになっている。これにより、洗浄運転完了後は、タンク１１４に貯水された洗浄水は、排水バルブ１３６から外部に排出されるようになっている。
【００３３】
天井壁１４の上面には、図２に示すように、洗浄水を貯蔵庫本体１２の内部に供給する給水部１３８が設けられている。
【００３４】
洗剤トレイ８０に洗剤をセットするフローを説明する。先ず、図６及び図９に示すように、トレイ本体部８２の突出片１００を回転停止壁１１２に当て、トレイ本体部８２の開口部８６が上側を向いた状態（上側開口状態）で、トレイ本体部８２を停止させる。
【００３５】
次に、図９に示すように、洗剤の入った洗剤ボトル１４０をトレイ本体部８２の開口部８６に近づけ、トレイ本体部８２内に洗剤を入れる。このとき、トレイ本体部８２の周壁８８の側方に側方壁１０２が設けられていることから、誤って洗剤ボトル１４０が下方に動いてしまっても、洗剤ボトル１４０が側方壁１０２に当たるため、洗剤ボトル１４０がトレイ本体部８２に当たり、トレイ本体部８２が回転して洗剤がこぼれることが防がれる。
【００３６】
洗剤トレイ８０に洗剤をセット後、貯蔵庫本体１２の扉を閉め、洗浄運転を開始させると、給水部１３８から所定量の洗浄水が、貯蔵庫本体１２の内部に供給される。供給された洗浄水は、通水口２８を通って、一端、タンク１１４に貯水される。タンク１１４に貯水された洗浄水は、ポンプ１２２に流れ、ポンプ１２２から第１噴射部３０及び突起部４０に圧送される。
【００３７】
第１噴射部３０に圧送された洗浄水は、第１ノズル３４、第２ノズル３６、及び第３ノズル３８から噴射される。第３ノズル３８から噴射された洗浄水は、カバー２２の円孔２６を通過して、トレイ本体部８２の当たり面９６に当たり、トレイ本体部８２は前方に回転する。これにより、トレイ本体部８２は、図８に示す点線の位置から実線の位置に変位し、トレイ本体部８２の開口部８６から、トレイ本体部８２内の洗剤が外部に流出する。
【００３８】
外部に流出した洗剤は、貯蔵庫本体１２の底壁２７に落ちて洗浄水と混ざり、洗浄水と共に貯水タンク１１４に流れる。貯水タンク１１４に流れた洗剤の混入した洗浄水は、ヒータ１１６により所定の温度まで加熱された後、ポンプ１２２に流れる。ポンプ１２２に流れた洗浄水は、第１噴射部３０及び突起部４０に再度圧送される。これにより、洗剤の混入した洗浄水が貯蔵庫本体１２の内部に噴射され、貯蔵庫本体１２の内部が洗浄される。
【００３９】
突起部４０から噴射された洗浄水は、突起部４０の第１噴出孔４６及び第２噴出孔５０から噴出する。第１噴出孔４６から噴出した洗浄水は、第２噴射部５６の第１ノズル管６２、第２ノズル管６４、及び第３ノズル管６６の内部に流入し、それぞれの第４ノズル６８から噴射される。これにより、第２噴射部５６は回転する。
【００４０】
第２噴射部５６の回転により、軸受け部７０の筒内面７４と突起部本体４２の外周面５２とが回転摺動する。このとき、軸受け部７０は樹脂製であり、突起部４０は金属製であるため、一般的に、金属同士の摺動に比べて樹脂は金属との摺動性が良いことから、摺動面５４の摩耗が抑えられる。
【００４１】
本実施形態によれば、以下の作用、効果を奏する。
本実施形態の貯蔵庫１０は、箱状の貯蔵庫本体１２と、貯蔵庫本体１２の内部に設けられ、洗剤を収容する洗剤トレイ８０と、洗剤トレイ８０に向けて洗浄水を噴射する第１噴射部（噴射部）３０と、を備え、洗剤トレイ８０は、洗剤を外部から取り入れ可能な開口部８６を有するトレイ本体部８２と、トレイ本体部８２を回転させる回転軸部９８と、トレイ本体部８２の開口部８６が上側に位置する上側開口状態を保持しつつ、回転軸部９８の一方の周方向への回転を停止させる回転ストッパー（突出片１００）と、を備え、トレイ本体部８２が上側開口状態にある場合に、第１噴射部（噴射部）３０から噴射された洗浄水が洗剤トレイ８０に当たることで、トレイ本体部８２が一方の周方向と反対の他方の周方向へ回転し、トレイ本体部８２の開口部８６から、トレイ本体部８２内の洗剤が外部に流出する構成となっている。
【００４２】
本実施形態によれば、上側開口状態にあるトレイ本体部８２を、第１噴射部（噴射部）３０の洗浄水の噴射力を利用して回転させることで、開口部８６の位置が少なくとも上側から側方へ傾き、洗剤をトレイ本体部８２内から流出させることができる。これにより、トレイ本体部８２の外部で洗剤と洗浄水が混入されるため、洗浄運転後にトレイ本体部８２内に洗浄水が残ることを防ぐことができる。
【００４３】
また、トレイ本体部８２の周壁８８のうち、第１噴射部（噴射部）３０と対向する後側の周壁（周壁）８８Ｂは、前側の周壁８８Ａ及び左右一対の周壁８８Ｃ（他の周壁）よりも上方に突出し、第１噴射部（噴射部）３０から噴射された洗浄水が当たる当たり面９６を有している構成としても良い。
【００４４】
第１噴射部（噴射部）３０から噴射される洗浄水が当たり面９６に当たることで、当たり面９６が壁となり、トレイ本体部８２内に洗浄水が入ることを防ぐことができる。また、第１噴射部（噴射部）３０からの洗浄水を確実にトレイ本体部８２に当てることができ、該トレイ本体部８２を確実に回転させることが可能となる。
【００４５】
また、トレイ本体部８２は、当たり面９６から第１噴射部（噴射部）３０に向かって突出し、回転ストッパーとして機能する突出片１００を備え、貯蔵庫本体１２の内部には、トレイ本体部８２が上側開口状態にある場合において、突出片１００と当接して、トレイ本体部８２の一方の周方向への回転を停止させる回転停止壁１１２が設けられている構成としても良い。
【００４６】
トレイ本体部８２が上側開口状態にある場合において、トレイ本体部８２の重心は、当たり面９６のある方に偏るため、トレイ本体部８２は、当たり面９６のある方向（一方の周方向）に回転しようとする。そこで、回転ストッパーとして機能する突出片１００を、当たり面９６から第１噴射部（噴射部）３０に向かって突出して設け、さらに、貯蔵庫本体１２の内部に、突出片１００と当たる回転停止壁１１２を設けることで、トレイ本体部８２を、回転が停止した状態で保持させることができる。
【００４７】
また、トレイ本体部８２の周壁８８の側方には、周壁８８の幅よりも大きい幅の側方壁１０２が設けられている構成としても良い。
（効果）このように構成することで、例えば、ユーザが洗剤ボトル１４０からトレイ本体部８２に洗剤を入れる際、洗剤ボトル１４０をトレイ本体部８２に近づけると、洗剤ボトル１４０が側方壁１０２に当たるため、誤って洗剤ボトル１４０がトレイ本体部８２に当たって回転し、トレイ本体部８２から洗剤がこぼれることを防ぐことができる。
【００４８】
＜他の実施形態＞
本発明は上記記述及び図面によって説明した実施形態に限定されるものではなく、例えば次のような実施形態も本発明の技術的範囲に含まれる。
（１）本実施形態では、洗剤トレイ８０はカバー２２の前面に取り付ける構成としたが、例えば、冷却器ケース１６等、他の部位に取り付ける構成としても良い。
（２）本実施形態の第２噴射部５６は、第２噴射部本体５８から一方の方向に突出する第１ノズル管６２及び一方の方向と逆の方向に突出する第２ノズル管６４を備える構成としたが、回転して洗浄水を噴射する構成であればどのような構成でも良く、例えば、円筒状の第２噴射部本体の外周に複数の開口部を設け、第２噴射部本体が回転しながら、開口部から洗浄水を噴射する構成としても良い。
（３）本実施形態の貯蔵庫１０は、急速冷却庫としたが、一般的な冷蔵庫又は温蔵庫としても良い。
【符号の説明】
【００４９】
１０…貯蔵庫
１２…貯蔵庫本体
３０…第１噴射部（噴射部）
８０…洗剤トレイ
８２…トレイ本体部
８６…開口部
８８…周壁
９６…当たり面
９８…回転軸部
１００…突出片（回転ストッパー）
１０２…側方壁
１１２…回転停止壁
【図１】
2019128051.tif 000003
【図２】
2019128051.tif 000004
【図３】
2019128051.tif 000005
【図４】
2019128051.tif 000006
【図５】
2019128051.tif 000007
【図６】
2019128051.tif 000008
【図７】
2019128051.tif 000009
【図８】
2019128051.tif 000010
【図９】
2019128051.tif 000011
【図１０】
2019128051.tif 000012
【図１１】
2019128051.tif 000013
【図１２】
2019128051.tif 000014
【図１３】
2019128051.tif 000015
【図１４】
2019128051.tif 000016
【図１５】
2019128051.tif 000017